(57)【特許請求の範囲】
【請求項１】
外国為替デリバティブ取引において、ベースレートに基づき顧客にレートを提示するレート算出システムであって、
スプレッド幅、ぶらし幅またはバイアス情報を含むレート調整情報を格納するベースレート調整情報格納手段と、市場レートおよび前記ベースレート調整情報格納手段に格納されたベースレート調整情報に基づいてベースレートを生成するベースレート生成手段と、当該生成されたベースレートおよび前記ベースレート調整情報に含まれるバイアス情報を送信する送信手段とを含むベースレート処理装置と、
顧客ごとに、提示レートの桁数を含む顧客情報を格納する顧客情報格納手段と、前記ベースレート処理装置からベースレートおよびバイアス情報を受信する受信手段と、前記顧客情報格納手段から提示レートの桁数を読み出して、前記受信したバイアス情報に合わせて前記受信したベースレートを当該読み出されたレートの桁数に丸めて、提示レートを算出する提示レート算出手段と、当該算出された提示レートを顧客端末に送信する顧客提供手段とを含む顧客処理装置と
を備えたことを特徴とするレート算出システム。
【請求項２】
リスク情報に基づいて、市場データを調整するためのスプレッド値、ぶらし幅、またはバイアス情報を決定し、送信するレート調整幅決定装置をさらに備えたことを特徴とする請求項１に記載のレート算出システム。
【請求項３】
前記リスク情報は、市場データ、ポジション情報または顧客売買情報を含むことを特徴とする請求項２に記載のレート算出システム。
【請求項４】
前記ベースレートは、通貨ペアとして示されることを特徴とする請求項１ないし３のいずれかに記載のレート算出システム。
【請求項５】
スプレッド幅、ぶらし幅またはバイアス情報を含むレート調整情報を格納するベースレート調整情報格納手段を含むベースレート処理装置と、顧客ごとに、提示レートの桁数を含む顧客情報を格納する顧客情報格納手段を含む顧客処理装置とを備えたレート算出システムにおいて、外国為替デリバティブ取引における、ベースレートに基づきレートを顧客に提示するレート算出方法であって、
市場レートおよび前記ベースレート調整情報格納手段に格納されたベースレート調整情報に基づいてベースレートを生成し、当該生成されたベースレートおよび前記ベースレート調整情報に含まれるバイアス情報を送信するベースレート生成ステップ送信ステップと、
前記ベースレート処理装置からベースレートおよびバイアス情報を受信し、前記顧客情報格納手段から提示レートの桁数を読み出して、前記受信したバイアス情報に合わせて前記受信したベースレートを当該読み出されたレートの桁数に丸めて、提示レートを算出する提示レート算出ステップと、
当該算出された提示レートを顧客端末に送信する顧客提供ステップと
を備えたことを特徴とするレート算出方法。
【請求項６】
リスク情報に基づいて、市場データを調整するためのスプレッド値、ぶらし幅またはバイアス情報を決定し、送信するレート調整幅決定ステップをさらに備えたことを特徴とする請求項５に記載のレート算出方法。
【請求項７】
前記リスク情報は、市場データ、ポジション情報または顧客売買情報を含むことを特徴とする請求項６に記載のレート算出方法。
【請求項８】
前記ベースレートは、通貨ペアとして示されることを特徴とする請求項５ないし７のいずれかに記載のレート算出方法。
【発明の詳細な説明】
【技術分野】
【０００１】
本発明は、外国為替デリバティブ取引における顧客への提示レート算出システムおよび方法に関し、より詳細には市場レートなどを基に算出されたベースレートに基づいて提示レートを生成する提示レート算出システムおよび方法に関する。
【背景技術】
【０００２】
外国為替デリバティブ取引において、刻々と変化する取引レートを算出し、顧客に提供するシステムが、従来から種々提案されている。例えば、顧客の資産及び負債に応じたデリバティブ商品を生成すると共にそのレート又はプライスを決定し、別途決定されたクレジットスプレッドをレート又はプライスに加算又は減算し、顧客に提示するシステムが提案されている（例えば、特許文献１参照）。また、発注者とトレーダーがアプリケーション及びデータベースを共有することによって、発注者が値決めと約定を実行できると共に、必要に応じてトレーダーによる値決めを介在させることを可能とするデリバティブ業務システムが提案されている（例えば、特許文献２参照）。
【０００３】
以上のようなシステムでは、市場情報、保有リスク並びにディーラーの許容できるリスクに応じたレート売買幅およびぶらし幅情報に基づいて、ベースレートを加工生成し、顧客に提供するための提示レートを作成している。図５を参照して、処理内容を説明すると、従来のシステムでは、顧客に提示レートを提供するために、先ず外部システム５０１から市場レートや、バイアス情報を含むレート調整値などを収集し、これらを基にベースレート生成システム５０２において、予め異なる複数の桁数でベースレートを生成する。異なる桁数の複数のベースレートを受け取った提示レート算出システム５０３は、顧客ごとに必要な桁数のベースレートを選択し顧客に提供する。
【先行技術文献】
【特許文献】
【０００４】
【特許文献１】特開２００２−３２９０７４号公報
【特許文献２】特開２００２−０５６１８５号公報
【発明の概要】
【発明が解決しようとする課題】
【０００５】
しかしながら、従来のシステムにおいては、提示レートを作成する場合、ベースレートを加工生成する際に、バイアス情報を反映させて所定の桁数に丸め処理を行っているが、所定の桁数は顧客により異なってくるため、要求される桁数ごとにベースレートを生成しなければならないという問題がある。
【０００６】
本発明は、このような問題に鑑みてなされたもので、ベースレート生成後に、予め生成したベースレートの桁数にかかわらず、ディーラーの希望する値決め方針を反映させて顧客の所望する桁数に柔軟に丸め処理を行って提示レートを作成する提示レート算出システムおよび方法を提供することを目的とする。
【課題を解決するための手段】
【０００７】
このような目的を達成するために、請求項１に記載の発明は、外国為替デリバティブ取引において、ベースレートに基づき顧客にレートを提示するレート算出システムであって、スプレッド幅、ぶらし幅またはバイアス情報を含むレート調整情報を格納するベースレート調整情報格納手段と、市場レートおよびベースレート調整情報格納手段に格納されたベースレート調整情報に基づいてベースレートを生成するベースレート生成手段と、生成されたベースレートおよびベースレート調整情報に含まれるバイアス情報を送信する送信手段とを含むベースレート処理装置と、顧客ごとに、提示レートの桁数を含む顧客情報を格納する顧客情報格納手段と、ベースレート処理装置からベースレートおよびバイアス情報を受信する受信手段と、顧客情報格納手段から提示レートの桁数を読み出して、前記受信したバイアス情報に合わせて受信したベースレートを読み出されたレートの桁数に丸めて、提示レートを算出する提示レート算出手段と、算出された提示レートを顧客端末に送信する顧客提供手段とを含む顧客処理装置とを備えたことを特徴とする。
【０００８】
請求項２に記載の発明は、請求項１に記載のレート算出システムにおいて、リスク情報に基づいて、市場データを調整するためのスプレッド値、ぶらし幅、またはバイアス情報を決定し、送信するレート調整幅決定装置をさらに備えたことを特徴とする。
【０００９】
請求項３に記載の発明は、請求項２に記載のレート算出システムにおいて、リスク情報は、市場データ、ポジション情報または顧客売買情報を含むことを特徴とする。
【００１０】
請求項４に記載の発明は、請求項１ないし３のいずれかに記載のレート算出システムにおいて、ベースレートは、通貨ペアとして示されることを特徴とする。
【００１１】
請求項５に記載の発明は、スプレッド幅、ぶらし幅またはバイアス情報を含むレート調整情報を格納するベースレート調整情報格納手段を含むベースレート処理装置と、顧客ごとに、提示レートの桁数を含む顧客情報を格納する顧客情報格納手段を含む顧客処理装置とを備えたレート算出システムにおいて、外国為替デリバティブ取引における、ベースレートに基づきレートを顧客に提示するレート算出方法であって、市場レートおよびベースレート調整情報格納手段に格納されたベースレート調整情報に基づいてベースレートを生成し、生成されたベースレートおよびベースレート調整情報に含まれるバイアス情報を送信するベースレート生成ステップ送信ステップと、ベースレート処理装置からベースレートおよびバイアス情報を受信し、顧客情報格納手段から提示レートの桁数を読み出して、受信したバイアス情報に合わせて受信したベースレートを読み出されたレートの桁数に丸めて、提示レートを算出する提示レート算出ステップと、算出された提示レートを顧客端末に送信する顧客提供ステップとを備えたことを特徴とする。
【００１２】
請求項６に記載の発明は、請求項５に記載のレート算出方法において、リスク情報に基づいて、市場データを調整するためのスプレッド値、ぶらし幅またはバイアス情報を決定し、送信するレート調整幅決定ステップをさらに備えたことを特徴とする。
【００１３】
請求項７に記載の発明は、請求項６に記載のレート算出方法において、リスク情報は、市場データ、ポジション情報または顧客売買情報を含むことを特徴とする。
【００１４】
請求項８に記載の発明は、請求項５ないし７のいずれかに記載のレート算出方法において、ベースレートは、通貨ペアとして示されることを特徴とする。
【発明の効果】
【００１５】
以上説明したように、本発明によれば、スプレッド幅、ぶらし幅またはバイアス情報を含むレート調整情報を格納するベースレート調整情報格納手段と、市場レートおよびベースレート調整情報格納手段に格納されたベースレート調整情報に基づいてベースレートを生成するベースレート生成手段と、生成されたベースレートおよびベースレート調整情報に含まれるバイアス情報を送信する送信手段とを含むベースレート処理装置と、顧客ごとに、提示レートの桁数を含む顧客情報を格納する顧客情報格納手段と、ベースレート処理装置からベースレートおよびバイアス情報を受信する受信手段と、顧客情報格納手段から提示レートの桁数を読み出して、前記受信したバイアス情報に合わせて受信したベースレートを読み出されたレートの桁数に丸めて、提示レートを算出する提示レート算出手段と、算出された提示レートを顧客端末に送信する顧客提供手段とを含む顧客処理装置とを備えたことにより、ベースレート生成後に、予め生成したベースレートの桁数にかかわらず、ディーラーの希望する値決め方針を反映させて顧客の所望する桁数に柔軟に丸め処理を行って提示レートを作成することが可能となる。
【図面の簡単な説明】
【００１６】
【図１】本実施形態の全体システムを示すブロック図である。
【図２】本実施形態の桁数丸め処理について説明するための図である。
【図３】本実施形態のベースレートの生成から提示レート算出までの処理の流れを示す図である。
【図４】本実施形態の処理のフローチャートである。
【図５】従来のベースレートの生成から提示レート算出までの処理の流れを示す図である。
【発明を実施するための形態】
【００１７】
以下、図面を参照しながら本発明の実施形態について詳細に説明する。  
（本実施形態の構成）
図１は、本実施形態の全体システムを示すブロック図である。図１は、大きく分けてベースレートを生成するまでの処理を実行するベースレート生成システム１２０と、生成されたベースレートを受けて顧客に提供する提示レート算出システム１３０とを備える。ベースレート生成システム１２０の側には、これに加え市場レートの情報を提供する外部情報機関１５０と、ポジション管理システム１６０や顧客約定管理システム１７などと接続して保有リスク並びにディーラーの許容できるリスクに応じたレート売買幅、ぶらし幅情報およびバイアス情報などを提供するレート調整幅決定システム１１０とが接続されている。一方、提示レート算出システム１３０は、これに限られないが、ネットワークにより顧客端末１４０に接続されており、算出された提示レートを顧客端末１４０に送信して顧客に提供する。本実施形態では、図１に示すようなシステム、データベースなどを用いるが、これは本発明を達成するための一例であり、本技術分野で知られるいずれの方法で、これと異なるシステム、サーバあるいはデータベースを組み合わせることも可能である。
【００１８】
レート調整幅決定システム１１０は、例えば取引者（ディーラー）側の端末とすることができ、外部情報機関１５０からインターネットまたは専用回線などのネットワークを介して市場データを受信する。レート調整幅決定システム１１０はまた、ポジション管理システム１６０から取引者のポジション情報を、顧客約定管理システム１７０から顧客売買情報を受信する。ポジション情報とは、為替持高によるポジション（買持、売持など）を示す情報であり、顧客売買情報とは、顧客の売買動向を示す情報である。レート調整幅決定システム１１０は、受信した市場データ、ポジション情報、および顧客売買情報を、リスク情報として格納するリスク情報データベース（ＤＢ）１１４を備える。ここで、リスク情報は、市場データ、ポジション情報、および顧客売買情報を必ずしも全て含んでいる必要はなく、これらの情報のいずれか、またはこれらの情報の任意の組合せとすることもできる。あるいは、これらと他の情報の組合せとすることもできる。レート調整幅決定システム１１０は、リスク情報ＤＢ１１４に格納されたリスク情報（市場データ、ポジション情報、および顧客売買情報）に基づいて、市場データを調整するためのスプレッド（Ｓｐｒｅａｄ）値、ぶらし幅、およびバイアス（Ｂｉａｓ）情報を決定することができる。ここで、スプレッド値とは、売値と買値の差を示す値であり、ぶらし幅は、取引者のリスクに応じてレートを上下にぶらす幅を示す値である。バイアス情報とは、後述するレートの切捨て、切上げに関する情報である。
【００１９】
レート調整幅決定システム１１０は、市場データ、ポジション情報、および顧客売買情報を受信すると、これらの情報に基づいて新たなスプレッド値、ぶらし幅、およびバイアス情報を決定し、ベースレート生成システム１２０に送信する。
【００２０】
ベースレート生成システム１２０は、ベースレートの生成に用いるスプレッド値、ぶらし幅、およびバイアス情報を格納するためのベースレート情報設定テーブル１２４を備える。ベースレート生成システム１２０は、レート調整幅決定システム１１０からのベースレート情報調整指示メッセージを受信すると、受信したベースレート情報調整指示メッセージに基づいて、ベースレート情報設定テーブル１２４に、受信したスプレッド値、ぶらし幅、および／またはバイアス情報を格納する。ベースレート生成処理部１２２は、ベースレート情報設定テーブル１２４からスプレッド値、ぶらし幅、および／またはバイアス情報を読み出し、これらの情報および市場レートに基づいてベースレートを生成する。
【００２１】
次に、図２を参照して提示レートの桁数について説明すると、外国為替のベースレートは例えば９４．３４４−９４．３６４という通貨ペアとして表すことができる。このような小数点３桁のベースレートに対し顧客が小数点２桁を指定する場合桁数を丸める必要があるが、図２に示すような３種類の丸め方がある。通常はこの３つの丸め方のうち（３）のように、ディーラーのぶらしたい方に（ディーラーの希望する値決め方針にそって）通貨ペアの両方とも切り上げまたは切り下げ、有効なデリバティブ取引が可能になるようにする。ここで、ぶらしたい方向を示すのがバイアスであり、従来のシステムでは図５を参照して上記で説明したように、ベースレート生成システム５０２では外部システム５０１からバイアス情報を取得して、所定の桁数に丸める際に使用し、売買用の提示レートを生成する。
【００２２】
このような従来のシステムに対して、本実施形態では、図３に示すように生成したベースレートの通貨ペアとともにバイアス情報が提示レート算出システム３０３に渡され、提示条件情報データベース１３４に格納された顧客ごとの提示レートの桁数に、丸め処理されて顧客に提供される。具体的に図４に示すフローチャートを参照して説明する。
【００２３】
（本実施形態の処理）  
図４は、本実施形態の処理を示すフローチャートである。外部システム３０１から種々の情報を取得し（Ｓ４０１）、取得した情報に基づいて、ベースレート生成システム３０２は、桁数を特定することなくベースレートを生成する（Ｓ４０２）。すなわち、外部情報機関１５０から取得する市場情報、並びにディーラー端末等のレート調整幅決定システム１１０から取得する保有リスク、およびディーラーが許容できるリスクに応じたレート売買幅、ぶらし幅情報、バイアス情報などに基づいて、本技術分野で知られたいずれかの方法でベースレートを加工、生成する。ベースレートが生成されると、ベースレート生成システム３０２は、従来のシステムとは異なり、生成したベースレートのみならず、外部システム３０１から取得したバイアス情報をも提示レート算出システム３０３に送信する（Ｓ４０３）。ベースレートおよびバイアス情報を受信した提示レート算出システム３０３は、提示条件情報データベース１３４に格納された顧客ごとの桁数を取得して、この桁数、ベースレート、バイアス情報を用い桁数の丸め処理を行って提示レートを算出し、顧客にネットワークを通じて配信するなどして提供する（Ｓ４０４）。提示レートを算出する際、個々で説明した処理に加え顧客ごとに予め定めた処理がある場合は、そのような処理も必要に応じて実行して提示レートを算出することができる。
【００２４】
このようにして、本実施形態では、従来ぶらし方向が分からないため提示レート算出システム３０３でできなかった桁数の丸め処理を、ベースレートとともにバイアス情報を受け渡すことにより可能とし、丸め桁数は提示条件情報データベース１３４に格納されていて本来、最も顧客に近い提示レート算出システム３０３で算出すべきだった提示レートの算出を可能にすることができた。これにより、ベースレート生成後に、予め生成したベースレートの桁数にかかわらず、ディーラーの希望する値決め方針を反映させて顧客の所望する桁数に柔軟に丸め処理を行って提示レートを作成することができ、またベースレート生成システム３０２で異なる桁数の複数のベースレートを用意する必要がないためシステムの負荷を軽減することができる。
【図１】
0005386761.tif 000002
【図２】
0005386761.tif 000003
【図３】
0005386761.tif 000004
【図４】
0005386761.tif 000005
【図５】
0005386761.tif 000006